(57)【要約】      （修正有）【課題】使用して汚れたペットボトル、紙パック、缶などの容器を水で洗浄した後に、容器に残った水に手間を掛けず、自然乾燥を行うようにするボトルピンチを提供する。【解決手段】ペットボトル，紙パック，缶などの容器の水切り具であって、前記容器を逆さ状態にして側面より挟持できる円弧状の向かい合った二つの挟持部３，４を持ったピンチ１を形成し、前記ピンチの中ほどより上部に伸びた吊下げ部材６を設け、前記吊下げ部材の上部先端に台所の流しの上部にある棚下部横材又は壁側のフックに掛けることのできるボトルピンチを使用して、容器を逆さ状態に挟持する。【選択図】図１
0003146229.tif 000002
【実用新案登録請求の範囲】
【請求項１】
ペットボトル，紙パック，缶などの容器の水切り具であって、前記容器を逆さ状態にして側面より挟持できる円弧状の向かい合った二つの挟持部を持ったピンチを形成し、前記ピンチの中ほどより上部に伸びた吊下げ部材を設け、前記吊下げ部材の上部先端に台所の流しの上部にある棚下部横材又は壁側のフックに掛けることのできるフックを備えていることを特徴とするボトルピンチ。
【請求項２】
前記ピンチの他方の挟持部の長さが一方の挟持部の長さより１〜４割程度短く形成されていることを特徴とする請求項１に記載のボトルピンチ。
【請求項３】
前記ピンチの把持部が他方の挟持部側に支軸を中心として９０度程度屈設させて、把持部の位置を移動させなおかつ把持部の機能を備えたことを特徴とする請求項１または２に記載のボトルピンチ。
【請求項４】
前記ピンチを複数個並べて接続し、一度に複数の容器を水切りできることを特徴とする請求項１、２または３に記載のボトルピンチ。
【考案の詳細な説明】
【技術分野】
【０００１】
本考案は、使用したことにより汚れたペットボトル，紙パック，缶などの容器を水で洗浄した後に容器に残った水を切るための水切り具に関する。
【背景技術】
【０００２】
従来、洗浄した容器の水切りに際しては、水切りかご，コップ立てなどに容器を逆さまにして挿し込み、しばらく放置するという方法が一般的に採られていた。しかし、このような方法では容器の保持状態が不安定になって容器が倒れ、該容器の底に水がたまった状態になり、いつまで経っても乾燥できず、また場所によっては邪魔にもなる。そこで、例えば特許文献１に記載されたような水切り具が提案されている。この水切り具は壁面などに取り付け可能な専用の用具に容器を保持できるようにしたもので、ペットボトルだけでなく、角型の紙パックや缶など複数種類の容器に対応できるようにしたものである。
【０００３】
【特許文献１】特開２００２−５８６２８号公報
【考案の開示】
【考案が解決しようとする課題】
【０００４】
普通、ペットボトル，紙パック，缶などは、使用されて洗浄後に食器乾燥機に入れず水分をふき取らず放置される場合が多い。これらの容器は逆さまにしないと水が溜まりやすく自然乾燥しにくい。また近年、市販のペットボトルに収められた水、茶、果汁等の飲料を飲んだ後に、このペットボトルを洗浄して中に自家製の麦茶等を入れ、これを断熱性の包装材に入れて、水筒代わりに使用することがよく行われている。この場合、洗浄後のペットボトルをよく乾燥させないとカビ，細菌が繁殖するおそれがある。本発明は、これらの容器の水切りに手間を掛けず、衛生的に早急に自然乾燥をすることによりカビ，細菌の発生を防ぐことができる水切り具を提供することを目的とするものである。
【課題を解決するための手段】
【０００５】
第１の考案は、ペットボトル，紙パック，缶などの容器の水切り具であって、前記容器を逆さ状態にして側面より挟持できる円弧状の向かい合った二つの挟持部を持ったピンチを形成し、前記ピンチの中ほどより上部に伸びた吊下げ部材を設け、前記吊下げ部材の上部先端に台所の流しの上部にある棚下部横材又は壁側のフックに掛けることのできるフックを備えていることを特徴とする。
第２の考案は、前記ピンチの他方の挟持部の長さが一方の挟持部の長さより１〜４割程度短く形成されていることを特徴とする。
第３の考案は、前記ピンチの把持部が他方の挟持部側に支軸を中心として９０度程度屈設させて、把持部の位置を移動させなおかつ把持部の機能を備えたことを特徴とする。
第４の考案は、前記ピンチを複数個並べて接続し、一度に複数の容器を水切りできることを特徴とする。
【考案の効果】
【０００６】
本考案による水切り具は、洗浄したペットボトル，紙パック，缶などの容器を逆さまに安定よく支持することができ、水切りも確実に行うことができ、しかも日の当たる場所に吊るして自然乾燥することが可能となり、その結果、シミ，カビ，細菌の発生を防ぐことができるようになった。また、吊下げ軸の先端にフックを形成しているので洗浄した後、ペットボトルなどの容器をセットして物干し竿や台所の窓側の棚等など日光の当たる場所に吊るして日光消毒することができる。また、各容器がリサイクル材になった場合、洗浄および乾燥されているので良好な資源となる。サラダオイル，マヨネーズ，ソースなどの粘度のある液体の少なくなった容器を逆さまに挟んで蓋をあけて、受け皿をセットしておけば、完全に使い切ることができ節約できるという利点もある。
【考案を実施するための最良の形態】
【０００７】
本考案によるボトルピンチ１の最良の形態について図面により詳細に説明する。図１は本考案によるボトルピンチ１を示す斜視図である。図１において１はボトルピンチで、該ボトルピンチ１は、樹脂材又は線材を曲成または溶着することにより形成したものである。また、本考案の容器１５は、ペットボトル,紙パック,缶などを示す。
【０００８】
ボトルピンチ１は、ペットボトル，紙パック，缶などの容器１５を一方の挟持部３と他方の挟持部４で各々容器１５を挟持できるようになっている。前記各挟持部ともに直径５０ミリから９０ミリ程度の円柱型容器もしくは、角型紙パック，２リットルのペットボトル容器も挟持できるように、一方と他方の両方の挟持部の容器と接触する面の形状が、上面視で直径９０ミリ程度の円弧状に形成されている。
【０００９】
一方の挟持部３と他方の挟持部４の円弧状部分の長さは、一方の挟持部３の方より、他方の挟持部４の円弧状部分の長さが、１〜４割程度短くなっている。このことは、本考案のボトルピンチ１は、台所の棚下部横材１３に複数並べて使用できるように、ほぼ正面より容器１５を脱着できるように他方の挟持部４が短く、また正面より把持部５が見えてなおかつ把持できるように、把持部５が他方の挟持部４側に支軸８を中心として９０度程度屈設して把持できるようになっている。
【００１０】
把持部５は、容器１５を挟持する場合もしくは容器１５を開放する場合に手で把持するもので、バネ７によって容器１５を挟持する方向に力がかかっているので、把持する場合も力が必要である。本考案の容器１５は使用された後洗浄されてから挟持されるものであるから、中身は空で重量は軽くペットボトルでは一番大きな２リットルのボトルでも７０グラムまでである。そのため、形の大きさから見ると洗濯用ピンチの３倍程度の大きさであるが、ピンチの挟持する力は精確な実験結果ではないが、わたしなりに実験した結果では、洗濯用ピンチと同程度の挟持力をもったバネで容器１５を挟持することができる。しかしながら、実際は挟持力が少ないと挟持した容器１５が落下するするかもしれないという不安感を持つので、挟持力を洗濯用ピンチの２〜３倍の挟持力を持つバネにしてピンチの把持部５の位置と支軸７との距離を長くとってやると、手で把持する力は２〜３倍にはならず楽に把持できるようになる。
【００１１】
本考案のボトルピンチ１を図２に基づき説明する。図２は本考案のボトルピンチ１の容器１５の挟持状態図である。Ｌは解放状態幅で、容器１５を挟持していない状態である。この状態でもバネ６は、挟持方向に力が掛かっている状態であるが、Ｌの幅が小さくならないように挟持部の支軸７側で挟持部どうしが接触してＬの幅を規制するようになっている。こうすることによって、小さい物は挟持できなくなるが本考案で挟持する容器１５のサイズの直径約５５ミリより９０ミリ程度の容器１５では、手で把持する幅も少なくなり挟持しやすくなる。
【００１２】
本考案のボトルピンチ１は、容器１５を挟持する場合、把持部５の手の力を軽減するために、右手で把持部５をもって左手で容器１５を一方と他方の両方の挟持部に押し付けて入れる。容器１５は、他方の挟持部４側では他方の挟持部４先端に突っ張って滑らず、一方の挟持部３側では容器１５が図２のＡ方向に回転しながら滑って入りボトルピンチに挟持される。容器１５を開放する場合、右手で把持部５を持って左手で容器１５を図２のＢ方向に回転させると解放できる。よって把持部５を把持する力はすくなくてすむ。しかし角型容器はこのかぎりではない。
【００１３】
次に、本考案の第２実施例のボトルピンチ１を説明する。図３は本考案の第２実施例におけるボトルピンチ１の斜視図である。図４は本考案の第２実施例におけるボトルピンチ１の容器１５の挟持状態図である。第２実施例においては、前記最良の形態と共通する部分に共通する符号を用いている。また、第２実施例では、ボトルピンチ１を二つ同方向に並べて接続して、容器１５を二つ挟持でき、ペットボトルキャップの蓋を二つ挟持できるという特徴がある。
【００１４】
容器１５は、図２で示す最良の形態ではほぼ正面から容器１５を脱着するのに対して、第２実施例では、左側より容器１５を脱着するようになっている。また把持部５は右側に並んで形成されている。
【００１５】
吊下げ部材６は上端に板状のフック１２を形成しているが、この形状は台所の流しの上部にある棚下部横材１３にかけた場合、ボトルピンチ１が前記棚下部横材１３の長さ方向への揺れがなくなるように面で接するように形成されている。上端の穴には壁側フック１４が入るようになっている。ヒンジ１０のピン１１を抜いて、吊り下げ部材６を外して、一方の挟持部３の専用取り付けか所に吊下げ部材６を取り付けると、壁側フック１４に掛けてボトルピンチ１を使用することができる。また吊下げ軸下端部に設けられているヒンジ１０は、ボトルピンチ１を使い終わって収納する場合に平面上に折りたたんで収納するために設けられている。
【００１６】
ペットボトルキャップ挟持部９は、他方の挟持部４の外側側面に形成されており、形状はペットボトルキャップの直径よりも少し小さな直径で上面視略C型状に樹脂製で形成されている。ペットボトルキャップは軽量なので、樹脂の弾力で挟持することができる。
【図面の簡単な説明】
【００１７】
【図１】本考案のボトルピンチの斜視図である。
【図２】本考案のボトルピンチの容器の挟持状態図である。
【図３】本考案の第２実施例におけるボトルピンチの斜視図である。
【図４】本考案の第２実施例におけるボトルピンチの容器の挟持状態図である。
【符号の説明】
【００１８】
１    ボトルピンチ
２    中間挟持部
３    一方の挟持部
４    他方の挟持部
５    把持部  
６    吊下げ部材
７    バネ
８    支軸  
９    ペットボトルキャップ挟持部
１０  ヒンジ
１１  ピン
１２  フック
１３  棚下部横材
１４  壁側フック
１５  容器
Ｌ    解放状態幅
Ｌ１  最小挟持状態幅
Ｌ２  最大挟持状態幅
【図１】
0003146229.tif 000003
【図２】
0003146229.tif 000004
【図３】
0003146229.tif 000005
【図４】
0003146229.tif 000006